【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
入力画像データに対して階調補正処理を実行する画像形成装置であって、
入力画像データの各画素値に対して、所定の下限値及び上限値の範囲内におけるいずれかの信号値を画素毎に加算する加算手段と、
前記加算手段で信号値が加算された所定数の画素の階調値に基づいて、複数の分布範囲で区分された階調分布の計測を実行する計測手段と、
前記計測手段で計測された階調分布に基づいて、前記入力画像データを補正する階調補正データを前記所定数の画素毎に生成する生成手段と、
を有することを特徴とする画像形成装置。
【請求項２】
入力画像データに対して階調補正処理を実行する画像形成装置であって、
入力画像データにおける所定数の画素毎に当該所定数の画素の階調分布を計測する計測手段と、
前記計測手段で計測された階調分布に基づいて、前記入力画像データを補正する階調補正データを前記所定数の画素毎に生成する生成手段と、を有し、
前記階調分布は所定の範囲境界値で複数の分布範囲に分割されているとともに、前記計測手段で計測する画素毎に前記所定の範囲境界値を所定の下限値及び上限値の範囲内で変動させることを特徴とする画像形成装置。
【請求項３】
前記階調補正データは、前記複数の分布範囲における前記所定数の画素の分布度合いに応じて生成されることを特徴とする請求項１または２に記載の画像形成装置。
【請求項４】
前記加算手段で加算される信号値は、前記所定の下限値及び上限値を振幅とする関数に基づいて決定されることを特徴とする請求項１に記載の画像形成装置。
【請求項５】
前記所定の範囲境界値の変動は、前記所定の下限値及び上限値を振幅とする関数に基づいて決定されることを特徴とする請求項２に記載の画像形成装置。
【請求項６】
前記生成手段で生成された階調補正データを用いて、前記入力画像データの階調補正処理を実行する階調補正手段をさらに有し、前記階調補正手段は入力画像データにおける前記所定数の画素毎に階調補正処理を実行することを特徴とする請求項１または２に記載の
画像形成装置。
【請求項７】
駆動電圧を制御することでガンマ特性を調整することが可能な表示部に前記入力画像データを表示する場合、前記階調補正手段は、前記生成手段で生成された階調補正データに基づいて、駆動電圧を制御する制御信号を生成することを特徴とする請求項６に記載の画像形成装置。
【請求項８】
入力画像データに対して階調補正処理を実行する画像形成方法であって、
入力画像データの各画素値に対して、所定の下限値及び上限値の範囲内におけるいずれかの信号値を画素毎に加算する加算工程と、
前記加算工程で信号値が加算された所定数の画素の階調値に基づいて、複数の分布範囲で区分された階調分布の計測を実行する計測工程と、
前記計測工程で計測された階調分布に基づいて、前記入力画像データを補正する階調補正データを前記所定数の画素毎に生成する生成工程と、
を有することを特徴とする画像形成方法。
【請求項９】
入力画像データに対して階調補正処理を実行する画像形成方法であって、
入力画像データにおける所定数の画素毎に当該所定数の画素の階調分布を計測する計測工程と、
前記計測工程で計測された階調分布に基づいて、前記入力画像データを補正する階調補正データを前記所定数の画素毎に生成する生成工程と、を有し、
前記階調分布は所定の範囲境界値で複数の分布範囲に分割されているとともに、前記計測工程で計測する画素毎に前記所定の範囲境界値を所定の下限値及び上限値の範囲内で変動させることを特徴とする画像形成方法。
【請求項１０】
前記階調補正データは、前記複数の分布範囲における前記所定数の画素の分布度合いに応じて生成されることを特徴とする請求項８または９に記載の画像形成方法。
【請求項１１】
前記加算工程で加算する信号値は、前記所定の下限値及び上限値を振幅とする関数に基づいて決定されることを特徴とする請求項８に記載の画像形成方法。
【請求項１２】
前記所定の範囲境界値の変動は、前記所定の下限値及び上限値を振幅とする関数に基づいて決定されることを特徴とする請求項９に記載の画像形成方法。
【請求項１３】
前記生成工程で生成された階調補正データを用いて、前記入力画像データの階調補正処理を実行する階調補正工程をさらに有し、前記階調補正工程では入力画像データにおける前記所定数の画素毎に階調補正処理を実行することを特徴とする請求項８または９に記載の画像形成方法。
【請求項１４】
駆動電圧を制御することでガンマ特性を調整することが可能な表示部に前記入力画像データを表示する場合、前記階調補正工程では、前記生成工程で生成された階調補正データに基づいて、駆動電圧を制御する制御信号を生成することを特徴とする請求項１３に記載の画像形成方法。
【手続補正２】
【補正対象書類名】明細書
【補正対象項目名】００１２
【補正方法】変更
【補正の内容】
【００１２】
上述した課題を解決するために、本発明の好適な構成は、入力画像データに対して階調補正処理を実行する画像形成装置であって、入力画像データの各画素値に対して、所定の下限値及び上限値の範囲内におけるいずれかの信号値を画素毎に加算する加算手段と、前記加算手段で信号値が加算された所定数の画素の階調値に基づいて、複数の分布範囲で区分された階調分布の計測を実行する計測手段と、前記計測手段で計測された階調分布に基づいて、前記入力画像データを補正する階調補正データを前記所定数の画素毎に生成する生成手段と、を有する。
【手続補正３】
【補正対象書類名】明細書
【補正対象項目名】００１３
【補正方法】変更
【補正の内容】
【００１３】
また、本発明の好適な構成は、入力画像データに対して階調補正処理を実行する画像形成装置であって、入力画像データにおける所定数の画素毎に当該所定数の画素の階調分布を計測する計測手段と、前記計測手段で計測された階調分布に基づいて、前記入力画像データを補正する階調補正データを前記所定数の画素毎に生成する生成手段と、を有し、前記階調分布は所定の範囲境界値で複数の分布範囲に分割されているとともに、前記計測手段で計測する画素毎に前記所定の範囲境界値を所定の下限値及び上限値の範囲内で変動させる。
【手続補正４】
【補正対象書類名】明細書
【補正対象項目名】００１４
【補正方法】変更
【補正の内容】
【００１４】
また、本発明の好適な方法は、入力画像データに対して階調補正処理を実行する画像形成方法であって、入力画像データの各画素値に対して、所定の下限値及び上限値の範囲内におけるいずれかの信号値を画素毎に加算する加算工程と、前記加算工程で信号値が加算された所定数の画素の階調値に基づいて、複数の分布範囲で区分された階調分布の計測を実行する計測工程と、前記計測工程で計測された階調分布に基づいて、前記入力画像データを補正する階調補正データを前記所定数の画素毎に生成する生成工程と、を有する。
【手続補正５】
【補正対象書類名】明細書
【補正対象項目名】００１５
【補正方法】変更
【補正の内容】
【００１５】
また、本発明の好適な方法は、入力画像データに対して階調補正処理を実行する画像形成方法であって、入力画像データにおける所定数の画素毎に当該所定数の画素の階調分布を計測する計測工程と、前記計測工程で計測された階調分布に基づいて、前記入力画像データを補正する階調補正データを前記所定数の画素毎に生成する生成工程と、を有し、前記階調分布は所定の範囲境界値で複数の分布範囲に分割されているとともに、前記計測工
程で計測する画素毎に前記所定の範囲境界値を所定の下限値及び上限値の範囲内で変動させる。
【手続補正６】
【補正対象書類名】明細書
【補正対象項目名】００３７
【補正方法】変更
【補正の内容】
【００３７】
度数が集中している階調は１２９から１９１に変化しているが、この変化はクラスＣＬ３内での画像データの変動である。従って、従来の方法ではどちらのケースも同じγ変換カーブが得られるに過ぎなかった。しかしながら、本発明の方法を採用することで、γ変換カーブは（ｄ２）と（ｄ３）で変化している。言うまでもなく、これは輝度値に対して所定の分布内で変更する離散化データを各画素に対して加算し、輝度分布を分散化させたためである。以上より、図１０を用いて説明した課題は本発明によって改善される。